【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
開口部が形成された装置本体と、
シートに画像を形成する画像形成部と、
前記画像形成部により画像が形成されたシートを前記装置本体の内部に収容する複数のシート収容部と、
前記シート収容部に収容されたシートを移動させ、前記シートの一部が前記開口部から前記装置本体の外部に露出する状態まで前記シートを移動させ、前記状態で前記シートの移動を停止させるシート移動手段と、を有する画像形成装置において、
複数の前記シート収容部に収容されたシートを同一の前記開口部から重ねて露出させる場合、前記シート移動手段は、複数の前記シート収容部に収容されたシートのそれぞれについて前記開口部から前記装置本体の外部へ露出する長さが異なるようにそれぞれのシートを移動させることを特徴とする画像形成装置。
【請求項２】
前記シート収容部に収容されたシートの印刷を指示したユーザー情報を記憶する記憶手段と、を有し、
前記シート移動手段は、露出させるシートの印刷を指示したユーザー情報が同じである場合、前記露出する長さが同じになるようにそれぞれのシートを移動させ、前記ユーザー情報が異なる場合、前記露出する長さが異なるようにそれぞれのシートを移動させることを特徴とする請求項１に記載の画像形成装置。
【請求項３】
前記シート収容部に収容されたシートのジョブ番号を記憶する記憶手段と、を有し、
前記シート移動手段は、露出させるシートのジョブ番号が同じである場合、前記露出する長さが同じになるようにそれぞれのシートを移動させ、前記ジョブ番号が異なる場合、前記露出する長さが異なるようにそれぞれのシートを移動させることを特徴とする請求項１に記載の画像形成装置。
【請求項４】
前記シート収容部に収容されたシートのサイズを記憶する記憶手段と、を有し、前記シート移動手段は、露出させるシートのサイズが同じである場合、前記露出する長さが異なるようにそれぞれのシートを移動させ、前記サイズが異なる場合、前記露出する長さが同じになるようにそれぞれのシートを移動させることを特徴とする請求項１に記載の画像形成装置。
【請求項５】
前記記憶手段は前記シート収容部に収容されたシートのサイズを記憶し、
前記シート移動手段は、露出させるシートの印刷を指示したユーザー情報又は露出させるシートのジョブ番号が異なる場合であって、かつ、露出させるシートのサイズが同じである場合、前記露出する長さが異なるようにそれぞれのシートを移動させ、前記サイズが異なる場合、前記露出する長さが同じになるようにそれぞれのシートを移動させることを特徴とする請求項２又は請求項３に記載の画像形成装置。
【請求項６】
複数の前記シート収容部の中から２つ以上の前記シート収容部を選択する選択手段と、を有し、
前記シート移動手段は、前記選択手段で選択された２つ以上の前記シート収容部に収容されたシートを同一の前記開口部から重ねて露出させることを特徴とする請求項１乃至請求項５のいずれか１項に記載の画像形成装置。
【請求項７】
前記シート収容部に収容されたシートの印刷を指示したユーザーが属するグループ情報を受け付ける受付手段と、を有し、
前記記憶手段は、前記シート収容部に収容されたシートの印刷を指示したユーザーが属するグループ情報を記憶し、
前記受付手段で取得したグループ情報と、前記記憶手段に記憶されているグループ情報が一致する場合、前記シート移動手段は、複数の前記シート収容部から前記グループ情報に属するユーザーのシートを前記開口部から露出させることを特徴とする請求項２乃至請求項５のいずれか１項に記載の画像形成装置。
【請求項８】
前記シート収容部に収容されたシートの印刷を指示したユーザー情報を受け付ける受付手段と、を有し、
前記記憶手段は、前記シート収容部に収容されたシートの印刷を指示したユーザー情報を記憶し、
前記受付手段で取得したユーザー情報と、前記記憶手段に記憶されているユーザー情報が一致する場合、前記シート移動手段は、複数の前記シート収容部から該当するユーザーのシートを前記開口部から露出させることを特徴とする請求項３乃至請求項５のいずれか１項に記載の画像形成装置。
【請求項９】
画像形成に関する情報の表示を行うとともに、ユーザーによる操作の入力を受け付ける操作表示部と、を有し、
前記受付手段によるユーザー情報又はグループ情報の取得は、ユーザーが前記操作表示部にユーザー情報又はグループ情報を入力することにより行われる請求項７又は請求項８に記載の画像形成装置。
【請求項１０】
ＩＤカードを読み取るＩＤカード読み取り手段と、を有し、
前記受付手段によるユーザー情報又はグループ情報の取得は、ユーザーが前記ＩＤカード読み取り手段にＩＤカードを読み取らせることにより行われる請求項７又は請求項８に記載の画像形成装置。
【請求項１１】
開口部が形成された装置本体と、
シートに画像を形成する画像形成部と、
前記画像形成部により画像が形成されたシートを前記装置本体の内部に収容する複数のシート収容部と、
前記シート収容部に収容されたシートを移動させ、前記シートの一部が前記開口部から前記装置本体の外部に露出する状態まで前記シートを移動させ、前記状態で前記シートの移動を停止させるシート移動手段と、を有する画像形成装置において、
シートが未収容の第１のシート収容部に新たなシートを収容する際に、前記第１のシート収容部に隣接する第２のシート収容部に収容されたシートと前記新たなシートのサイズが異なる場合、前記第１のシート収容部に前記新たなシートを収容し、
前記第１のシート収容部と前記第２のシート収容部を含む複数の前記シート収容部に収容されたシートを同一の前記開口部から重ねて露出させる場合、前記シート移動手段は、前記第１のシート収容部と前記第２のシート収容部に収容されたシートのそれぞれについて前記開口部から前記装置本体の外部へ露出する長さが同じになるようにそれぞれのシートを移動させることを特徴とする画像形成装置。
【請求項１２】
シートが未収容の第１のシート収容部に新たなシートを収容する際に、前記第１のシート収容部に隣接する第２のシート収容部に収容されたシートと前記新たなシートのサイズが同じであって、かつ、前記第１のシート収容部とは別にシートが未収容の前記シート収容部が存在しない場合、前記第１のシート収容部に前記新たなシートを収容することを特徴とする請求項１１に記載の画像形成装置。
【請求項１３】
シートが未収容の第１のシート収容部に新たなシートを収容する際に、前記第１のシート収容部に隣接する第２のシート収容部に収容されたシートと前記新たなシートのサイズが同じであって、かつ、ジョブ番号も同じである場合、前記第１のシート収容部に前記新たなシートを収容することを特徴とする請求項１１又は請求項１２に記載の画像形成装置。
【手続補正２】
【補正対象書類名】明細書
【補正対象項目名】０００８
【補正方法】変更
【補正の内容】
【０００８】
上記の目的を達成するための本発明の画像形成装置は、
開口部が形成された装置本体と、シートに画像を形成する画像形成部と、前記画像形成部により画像が形成されたシートを前記装置本体の内部に収容する複数のシート収容部と、前記シート収容部に収容されたシートを移動させ、前記シートの一部が前記開口部から前記装置本体の外部に露出する状態まで前記シートを移動させ、前記状態で前記シートの移動を停止させるシート移動手段と、を有する画像形成装置において、複数の前記シート収容部に収容されたシートを同一の前記開口部から重ねて露出させる場合、前記シート移動手段は、複数の前記シート収容部に収容されたシートのそれぞれについて前記開口部から前記装置本体の外部へ露出する長さが異なるようにそれぞれのシートを移動させることを特徴とする。